(57)【要約】【課題】カートリッジ等を使用する形態の薬剤収納装置において、薬剤の効果を十分に果たしながら薬剤を無駄なく使用できるようにする、また、カートリッジ等の取替えが容易にできるようにする。【解決手段】消耗型薬剤体４とこの消耗型薬剤体４を取替え可能に収納する外装体２とからなる薬剤収納装置において、外装体２に消耗型薬剤４の収納部８が複数箇所設けられてなる薬剤収納装置、消耗型薬剤４の収納部８が、外装体２の一端側から他端側に連通するように形成された薬剤収納装置。【選択図】図１
2010167229.tif 000002
【特許請求の範囲】
【請求項１】
消耗型薬剤体と、この消耗型薬剤体を取替え可能に収納する外装体とからなる薬剤収納装置において、
前記外装体に、前記消耗型薬剤の収納部が複数箇所設けられてなることを特徴とする薬剤収納装置。
【請求項２】
消耗型薬剤体と、この消耗型薬剤体を取替え可能に収納する外装体とからなる薬剤収納装置において、
前記消耗型薬剤の収納部が、前記外装体の一端側から他端側に連通するように形成されてなることを特徴とする薬剤収納装置。
【請求項３】
前記消耗型薬剤体が、固形薬剤を収納する薬剤カートリッジもしくは液体薬剤の含浸マットである請求項１または２記載の薬剤収納装置。
【発明の詳細な説明】
【技術分野】
【０００１】  この発明は、芳香剤や消臭剤等の消耗型薬剤を取替え可能に収納する薬剤収納装置に関する。
【背景技術】
【０００２】  リビングやトイレや厨房等において、また、生ゴミやオムツの廃棄ボックス等において芳香剤や消臭剤がひろく使用されている。そのような薬剤は一般的に揮発性であって使用に伴ってその効能が低下していく。したがって、薬剤収納装置はその外装ケースが無駄となることがないように薬剤が充填されたカートリッジ等を取り替え使用する形態としている場合が多い。
【発明の開示】
【発明が解決しようとする課題】
【０００３】  上記のように、薬剤カートリッジ等を取り替え使用するような形態においては、下記の２点の問題がある。第１点は、薬剤カートリッジ等の取替えの時期はほぼ判明するものの、薬剤の効果が完全に無くなるまで使用すると最後の時期においては効果が低下した状態で使用しなければならず、効果が低下しきっていない状態で取り替えるのは残る薬剤を無駄にすることとなる。第２点は、薬剤カートリッジ等の取替えに手間がかかることである。【０００４】  この発明は上記の事情に鑑みて行ったもので、カートリッジ等を使用する形態の薬剤収納装置において、薬剤の効果を十分に果たし、かつ、薬剤を無駄なく使用できるようにすることを目的とする。さらには、カートリッジ等を使用する形態の薬剤収納装置において、カートリッジ等の取替えが容易にできるようにすることを目的とする。
【課題を解決するための手段】
【０００５】  請求項１の発明では、消耗型薬剤体と、この消耗型薬剤体を取替え可能に収納する外装体とからなる薬剤収納装置において、前記外装体に、前記消耗型薬剤の収納部が複数箇所設けられてなることを特徴とする薬剤収納装置を提供する。【０００６】  請求項１の発明の薬剤収納装置によれば、外装体に同時に複数個の消耗型薬剤体を収納使用することができる。したがって、古い消耗型薬剤体と新しい消耗型薬剤体とを併用でき、常に古い消耗型薬剤体を薬剤が無くなるまで使用することができる。これにより薬剤による効果を確実に果たしながら薬剤を無駄なく使用できる。収納部の数は通常２個とされ、その配置構成は適宜に設計可能である。【０００７】  請求項２の発明では、消耗型薬剤体と、この消耗型薬剤体を取替え可能に収納する外装体とからなる薬剤収納装置において、前記消耗型薬剤の収納部が、前記外装体の一端側から他端側に連通するように形成されてなることを特徴とする薬剤収納装置を提供する。【０００８】  請求項２の発明の薬剤収納装置によれば、消耗型薬剤体の収納部が外装体の一端側から他端側に連通するように設けられているので、収納部に消耗型薬剤体が収納されている状態において新たな消耗型薬剤体を収納部に押し込んでいくと収納されている消耗型薬剤体は押し出され、これにより消耗型薬剤体の取替えがなされる。【０００９】  請求項１または２記載の消耗型薬剤体としては、固形薬剤を収納する薬剤カートリッジもしくは液体薬剤の含浸マット等が適用される。
【発明の効果】
【００１０】  請求項１の発明の薬剤収納装置によれば、カートリッジ等を使用する形態の薬剤収納装置において、薬剤による効能を確実に果たしながらカートリッジ等における薬剤を無駄なく使用できるようになる。請求項２の発明の薬剤収納装置によれば、カートリッジ等を使用する形態の薬剤収納装置において、カートリッジ等の取替えが容易にできるようになる。
【発明を実施するための形態】
【００１１】  図１は請求項１の発明の薬剤収納装置の実施形態の外観斜視図である。薬剤収納装置１は外装ボックス（外装体）２とそれに取替え可能に収納される２個の薬剤カートリッジ（消耗型薬剤体）４、４とからなる。
【００１２】  外装ボックス１は前面が開放するとともに上下面に薬剤成分の排出スリット６・・・が設けられ、内部に上下２段に薬剤カートリッジ４、４の収納部８、８が設けられている。収納部８、８は上段のものが下段のものより奥行きが長く形成されており、また、前面の開放部の上縁、下縁の中央には切り欠き部１１、１１のそれぞれが設けられている。
【００１３】  薬剤カートリッジ４はケース１０内に芳香剤や消臭剤よりなる粒状薬剤が収納されて構成されている。ケース１０の上面、下面には薬剤成分の放出孔１２が多数設けられている。その前面には変色シール１６が貼り付けられ、前面の中央上部、下部には指掛け部１８が突設されている。
【００１４】  図２は薬剤カートリッジ４を外装ボックス２内に収めた状態を示し、薬剤カートリッジ４は前面の開放部から差し込まれ、外装ボックス２の内側に密接する状態において固定されて収納される。その収納時においては、薬剤カートリッジ４の指掛け部１８がちょうど外装ボックス２の切り欠き部１１内に位置する。また、放出孔１２のそれぞれが排出スリット６に相対し、これにより、薬剤カートリッジ４内薬剤から揮発した薬剤成分が放出孔１２、排出スリット６を通して外部に放出される。
【００１５】  図３は薬剤収納装置１の取り付け状態を示し、外装ボックス２の下面部の排出スリット６の間位置の台部２１下面が粘着層２０により被取り付け部２２に貼り付けられて取り付けられている。このように取り付けられることで、排出スリット６は塞がれることなく薬剤成分の放出が可能となる。
【００１６】  上記のようにして、薬剤収納装置１には２個の薬剤カートリッジ４、４が収納可能で、これにより使用中の薬剤カートリッジ４を残したまま新しい薬剤カートリッジ４を使用することができ、次回の取替え時に古い方の薬剤カートリッジ４を新しい薬剤カートリッジ４に取り替えるようにする。このようにして、薬剤による効果を維持しつつ使用する全ての薬剤カートリッジ４内の薬剤が無駄なく使用される。薬剤カートリッジ４は密封袋体に納められる状態で提供され、密封袋体内から取り出して使用する。
【００１７】  薬剤カートリッジ４の密封袋体内からの取出しにより薬剤成分が放出孔１２から放出され、かつ、変色シール１６の化学変化による変色が始まる。長期使用によりその変色が明らかとなるので、それを確認することで取り替えるべき古い方の薬剤カートリッジ４が判定できる。他の判定方法としては、薬剤として使用するに伴って化学的に色変化するものを用いる。その際には外装ボックス２もしくは薬剤カートリッジ４の一部に変化後の色を付しておくことで、それと対比して薬剤の色変化判定が容易になされる。薬剤カートリッジ４の取り出しは、指掛け部１８に指を掛けることで行う。
【００１８】  図４は請求項１の発明の薬剤収納装置１の他の実施形態の外観斜視図である。この実施形態においては、外装ボックス２が横長に形成され、薬剤カートリッジ４、４は並設される収納部８、８に収納される。
【００１９】  図５は請求項１の発明の薬剤収納装置１の他の実施形態の外観斜視図である。この実施形態における外装ボックスは、被取り付け部への取り付けプレート２５と、その取り付けプレート２５の下端に軸支されて取り付けプレート２５に対し開閉可能に設けられる薬剤含浸マット（消耗型薬剤体）３０の収納体２６とからなる。収納体２６には上端が開放し２個の薬剤含浸マット３０、３０が所定の隙間をおいてスライド挿入可能な収納部２７、２７が設けられている。取り付けプレート２５および収納体２６の両面には薬剤成分放出用の排出スリット２８・・・が形成されている。図に示すように収納体２６が開かれた状態において薬剤含浸マット３０の取替えが行われ、収納体２６は閉じられるとロック片３３が取り付けプレート２５のロック穴３１に嵌合してその閉じ状態が維持される。この薬剤収納装置１は、取り付けプレート２５の外面が上記実施形態のものと同様に被取り付け部に貼り付けられて取り付け使用される。
【００２０】  図６は請求項２の発明の薬剤収納装置の実施形態の外観正面図である。薬剤収納装置１は外装ボックス２とそれに取替え可能に収納される薬剤カートリッジ４とからなる。外装ボックス２は上端側から下端側に連通する収納部４２を備えており、図７に示すように、薬剤カートリッジ４はその収納部４２に嵌合されて納められる。その納められた状態において薬剤カートリッジ４の薬剤成分の放出孔４３が形成された部分が外装ボックス２の円形開口４４部分に合致し、これにより薬剤カートリッジ４内の薬剤成分が外部に放出されるようになっている。
【００２１】  取替えに際しては、図８に示すように、新しい薬剤カートリッジ４を外装ボックス２の上方から嵌入していくことで古い薬剤カートリッジ４は下方に押し出され、これにより薬剤カートリッジ４の取替えがすみやかになされる。この薬剤収納装置１は外装ボックス２の背面が貼り付けられることで取り付けられ、例えば生ゴミやオムツの廃棄ボックスの上蓋の内面に取り付けられた場合、上記のように押し出された古い薬剤カートリッジ４は直接廃棄ボックス内に落下し、その処理に全く手間がかからない。
【００２２】  図９は請求項１及び請求項２の発明の薬剤収納装置１に用いられる外装ボックス２の実施形態の外観正面図である。この外装ボックス２では連通する収納部４２を長く形成し、同時に２個の薬剤カートリッジ４を収納できる構成としている。このようにして、薬剤カートリッジ４の薬剤を無駄なく使用できるようにするとともに、押し出しにより薬剤カートリッジ４の取替えが容易にできるようにしている。
【図面の簡単な説明】
【００２３】
【図１】請求項１の発明の薬剤収納装置の実施形態の外観斜視図
【図２】請求項１の発明の薬剤収納装置の実施形態の薬剤カートリッジ収納時の外観斜視図
【図３】請求項１の発明の薬剤収納装置の実施形態の取り付け使用状態を示す要部拡大断面図
【図４】請求項１の発明の薬剤収納装置の他の実施形態の外観斜視図
【図５】請求項１の発明の薬剤収納装置のさらに他の実施形態の外観斜視図
【図６】請求項２の発明の薬剤収納装置の実施形態の外観正面図
【図７】請求項２の発明の薬剤収納装置の実施形態の薬剤カートリッジ収納時の外観正面図
【図８】請求項２の発明の薬剤収納装置の実施形態の薬剤カートリッジの取替え説明図
【図９】請求項１および請求項２の発明の薬剤収納装置の実施形態の外観正面図
【符号の説明】
【００２２】  １        薬剤収納装置
２        外装ボックス（外装体）
４        薬剤カートリッジ（消耗型薬剤体）
８        収納部
【図１】
2010167229.tif 000003
【図２】
2010167229.tif 000004
【図３】
2010167229.tif 000005
【図４】
2010167229.tif 000006
【図５】
2010167229.tif 000007
【図６】
2010167229.tif 000008
【図７】
2010167229.tif 000009
【図８】
2010167229.tif 000010
【図９】
2010167229.tif 000011